(57)【要約】【課題】使用済みの樹脂フィルムに付いた泥等を洗浄水を使わないでも十分に洗浄できる乾式洗浄機を提供する。【解決手段】樹脂フィルムの洗浄機１において、回転駆動される回転軸３と、この回転軸３に結合される複数の回転円盤４と、回転軸３を貫通させる複数の固定円盤６と、各回転円盤４及び各固定円盤６の間に画成されて樹脂フィルムが通過させるラビリンス間隙５と、このラビリンス間隙５に樹脂フィルムを投入する投入口７と、ラビリンス間隙５から排出される樹脂フィルムを回収して排出する排出口１０と、各回転円盤４または各固定円盤６の一方に設けられ他方に摺接するブラシ８，９とを備える。【選択図】    図１
2004202724.tif 000002
【特許請求の範囲】
【請求項１】
回転駆動される回転軸と、この回転軸に結合される複数の回転円盤と、回転軸を貫通させる複数の固定円盤と、各回転円盤及び各固定円盤の間に画成されて樹脂フィルムが通過させるラビリンス間隙と、このラビリンス間隙に樹脂フィルムを投入する投入口と、ラビリンス間隙から排出される樹脂フィルムを回収して排出する排出口と、各回転円盤または各固定円盤の一方に設けられ他方に摺接するブラシとを備えたことを特徴とする樹脂フィルムの洗浄機。
【請求項２】
前記各回転円盤と前記各固定円盤を両者の間に画成される前記ラビリンス間隙が略一定間隔を持つようにそれぞれテーパ状に形成したことを特徴とする請求項１に記載の樹脂フィルムの洗浄機。
【発明の詳細な説明】
【０００１】
【発明の属する技術分野】
本発明は、樹脂フィルムを再利用するための洗浄機に関するものである。
【０００２】
【従来の技術】
畑等で使用された使用済みの農業用のポリエチレン製フィルム、ビニール製フィルム等を再生する場合、フィルムに付いた泥等の汚れを洗浄する必要があった。
【０００３】
従来、この種の再生装置として、図２に示すように、破砕されたフィルム廃棄物から汚泥等の異物を分離除去する水洗式の洗浄機１０１を備えるものがあった。この洗浄機１０１は、円筒形の洗浄槽１０２と、洗浄槽１０２内に入れられた洗浄液とフィルム廃棄物と旋回させるロータ１０３と、洗浄済みのフィルム廃棄物を外部に取り出す取出パイプ１０４と、取出パイプ１０４中に取付けられた開閉弁１０５とからなる。ロータ１０３が回転すると、投入されたフィルム片が水槽１０２内の洗浄液と一緒に旋回流動し、フィルム廃棄物に付いた汚れを落とすようになっている。
【０００４】
【特許文献１】
特開２００１−１７０９３７号公報
【０００５】
【発明が解決しようとする課題】
しかしながら、このような水洗式の洗浄機１０１はフィルム廃棄物を洗浄するのに大量の洗浄水を使うため、洗浄水を浄化処理する設備や、洗浄後のフィルム廃棄物を乾燥させる設備が必要となり、設備コスト及びランニングコストが高くなるという問題点があった。
【０００６】
また、従来、洗浄水を使わない乾式の洗浄機として、多数のピンが突出した回転体を備え、ピンが樹脂フィルムに衝突する衝撃力によって汚れを剥離させるものがあった。
【０００７】
しかしながら、この場合、厚みのあるビニール製フィルム等に付着した汚れを十分に落とすことができないという問題点があった。
【０００８】
本発明は上記の問題点に鑑みてなされたものであり、使用済みの樹脂フィルムに付いた泥等を洗浄水を使わないでも十分に洗浄できる洗浄機を提供することを目的とする。
【０００９】
【課題を解決するための手段】
第１の発明は、樹脂フィルムの洗浄機において、回転駆動される回転軸と、この回転軸に結合される複数の回転円盤と、回転軸を貫通させる複数の固定円盤と、各回転円盤及び各固定円盤の間に画成されて樹脂フィルムが通過させるラビリンス間隙と、このラビリンス間隙に樹脂フィルムを投入する投入口と、ラビリンス間隙から排出される樹脂フィルムを回収して排出する排出口と、各回転円盤または各固定円盤の一方に設けられ他方に摺接するブラシとを備えたことを特徴とするものとした。
【００１０】
第２の発明は、第１の発明において、各回転円盤と各固定円盤を両者の間に画成されるラビリンス間隙が略一定間隔を持つようにそれぞれテーパ状に形成したことを特徴とするものとした。
【００１１】
【発明の作用および効果】
第１の発明によると、投入口から投入される樹脂フィルムは、相対回転する各回転円盤及び各固定円盤間のラビリンス間隙を通って排出口へと向かう過程で、各ブラシとこれが摺接する各固定円盤または各回転円盤の間で摩擦力が繰り返し与えられることによって破砕片の表面に付いた汚れが効果的に掻き落とされる。これにより、例えば畑で使用された樹脂フィルム等の汚れを洗浄水を使わないでも十分に落とすことが可能となる。
【００１２】
また、この洗浄機は樹脂フィルムの投入、洗浄、排出を連続して行うため、高い処理効率が得られる。
【００１３】
第２の発明によると、ラビリンス間隙はテーパ状の各回転円盤と各固定円盤の間に略一定間隔を持つよう画成されていることにより、投入口から投入された樹脂フィルムが相対回転する各回転円盤及び各固定円盤間のラビリンス間隙を通って排出口へと向かう。
【００１４】
【発明の実施の形態】
以下、本発明の実施の形態を添付図面に基づいて説明する。
【００１５】
図１は本発明の樹脂フィルムの乾式洗浄機１を示し、この洗浄機１は使用済みの農業用のポリエチレン製フィルム、ビニール製フィルム等の樹脂フィルムを再生する再生装置に備えられる。この再生装置は、図示しない粉砕器によってある程度の大きさに破砕された樹脂フィルムが洗浄機１に投入され、洗浄機１によって樹脂フィルムに付いた泥等が分離され、各洗浄機１から排出された後に所定の処理行程を経て再生材料がつくられる。
【００１６】
洗浄機１は円筒状のケース２の中心に回転可能に支持される回転軸３と、この回転軸３に結合される複数の回転円盤４と、回転軸３を貫通させる複数の固定円盤６と、回転軸３の外周面と各回転円盤４及び固定円盤６の間に画成されて樹脂フィルムが通過させるラビリンス間隙５と、このラビリンス間隙５に樹脂フィルムを投入する投入口７と、ラビリンス間隙５から排出される樹脂フィルムを回収して排出する排出口１０とを備える。
【００１７】
回転軸３は略垂直方向に延びる配置とし、各回転円盤４の下面に各固定円盤６の上面に摺接するブラシ８が設けられ、各固定円盤６の下面に各回転円盤４の上面に摺接するブラシ９が設けられる。
【００１８】
各ブラシ８，９は例えば合成樹脂材料よりなる多数のブラシ毛からなり、その弾性復元力により各回転円盤４、各固定円盤６に押し付けられ、摺接するようになっている。
【００１９】
各回転円盤４と各固定円盤６は両者の間に画成されるラビリンス間隙５が略一定間隔を持つようにテーパ状に形成される。
【００２０】
各回転円盤４は円盤状の上板１１及び下板１２とからなり、この上板１１及び下板１２の中央開口部が回転軸３に結合されている。各回転円盤４は上板１１及び下板１２の間隔が径方向外側に向かって次第に小さくなるテーパ状に形成される。
【００２１】
各固定円盤６は円盤状の上板１３及び下板１４とからなり、この上板１３及び下板１４の外周端部がケース２に結合されている。各回転円盤４は上板１３及び下板１４の間隔が径方向内側に向かって次第に小さくなるテーパ状に形成される。上板１３及び下板１４の中央開口部が回転軸３にラビリンス間隙５を持って対峙している。
【００２２】
回転軸３はその下端部にプーリ１９が結合され、このプーリ１９に図示しないベルトが掛け回され、動力源からの回転が伝達される。
【００２３】
ケース２の上端部は、ケース２に結合される部材１５とハウジング２２と、回転軸３に結合されるフランジ１７によって閉塞される。
【００２４】
ケース２の下端部材１６とハウジング２０と、回転軸３に結合されるフランジ１８によって画成される空間にプーリ１９およびベルトが収められる。下端部材１６には複数の穴２３が形成される。ラビリンス間隙５から出た樹脂フィルムの破砕片はこの穴２３を通って排出口１０へと向かう。
【００２５】
ケース２の下端部材１６にはロート状部材２１が結合され、このロート状部材２１の底部に排出口１０が開口している。
【００２６】
以上のように構成されて、次に作用について説明する。
【００２７】
ラビリンス間隙５はテーパ状の各回転円盤４と各固定円盤６の間に略一定間隔を持つよう画成されていることにより、図示しない送りブロアを介して投入口７からケース２内に投入された樹脂フィルムの破砕片は、相対回転する各回転円盤４及び各固定円盤６間のラビリンス間隙５を通って排出口１０へと向かう。
【００２８】
樹脂フィルムの破砕片は、ラビリンス間隙５を通って排出口１０へと向かう過程で、各ブラシ８とこれが摺接する各固定円盤６の間、各ブラシ９とこれが摺接する各回転円盤４の間で摩擦力が繰り返し与えられることによって破砕片の表面に付いた汚れが剥離される。
【００２９】
各ブラシ８，９は多数のブラシ毛がその弾性復元力により各回転円盤４、各固定円盤６に押し付けられて摺接することにより、樹脂フィルムの破砕片に付着した泥等が効果的に掻き落とされる。
【００３０】
こうして乾式洗浄機１にて洗浄された樹脂フィルムは図示しない送りブロアを介してサイクロンに送られ、樹脂フィルムから分離した泥や塵埃が遠心力によって取り除かれた後、所定の処理行程を経て再生材料となる。
【００３１】
本発明は上記の実施の形態に限定されずに、その技術的な思想の範囲内において種々の変更がなしうることは明白である。
【図面の簡単な説明】
【図１】本発明の実施の形態を示す樹脂フィルムの洗浄機の断面図。
【図２】従来例を示す樹脂フィルムの洗浄機の断面図。
【符号の説明】
１  洗浄機
２  ケース
３  回転軸
４  回転円盤
５  固定円盤
６  ラビリンス間隙
７  投入口
８  ブラシ
９  ブラシ
１０  排出口
【図１】
2004202724.tif 000003
【図２】
2004202724.tif 000004